(57)【要約】      （修正有）【課題】ユーザが揮散パラメータを設置環境に合わせて設定する必要のないアロマディフューザーの提供。【解決手段】筐体１０と、香料成分が収容された香料容器２０ａ、２０ｂの開口と外気とを連通する吹出経路と、香料成分を吹出経路内に放出させる揮散機構３０と、揮散機構の動作を制御する制御部と、筐体が設置された環境を認識する環境認識部５６ａ１，５６ａ２，５６ｂとを備え、制御部は環境認識部から取得した設置環境に関する情報に基づいて香料成分の揮散に関する制御パラメータを設定するアロマディフューザー。【選択図】図５
2020062300.tif 000002
【特許請求の範囲】
【請求項１】
筐体と、
香料成分が収容された香料容器の開口と外気とを連通する吹出経路と、
前記香料成分を前記吹出経路内に放出させる揮散機構と、
前記揮散機構の動作を制御する制御部と、
前記筐体が設置された環境を認識する環境認識部と
を備え、
前記制御部は、前記環境認識部から取得した設置環境に関する情報に基づいて、前記香料成分の揮散に関する制御パラメータを設定することを特徴とするアロマディフューザー。
【請求項２】
前記環境認識部は空間計測部を有し、
前記設置環境の情報として、前記筐体が設置された空間の広さを取得することを特徴とする請求項１に記載のアロマディフューザー。
【請求項３】
前記制御部は、前記空間の広さが広い程、前記揮散機構による前記香料成分の揮散量を増やすことを特徴とする請求項２に記載のアロマディフューザー。
【請求項４】
前記環境認識部は温湿度計測部を有し、
前記設置環境の情報として、前記筐体が設置された空間の温湿度を取得することを特徴とする請求項１から３のいずれか一項に記載のアロマディフューザー。
【請求項５】
前記制御部は、前記空間の温度が低い程、前記揮散機構による前記香料成分の揮散量を増やすことを特徴とする請求項４に記載のアロマディフューザー。
【請求項６】
前記制御部は、前記空間の湿度が高い程、前記揮散機構による前記香料成分の揮散量を増やすことを特徴とする請求項４または５に記載のアロマディフューザー。
【発明の詳細な説明】
【技術分野】
【０００１】
本発明は、容器内の液体中に含まれる香料成分を空間に揮散させるアロマディフューザー、またはその制御方法に関する。
【背景技術】
【０００２】
従来から、超音波振動などを利用して液体を霧化し、その液体中に含まれる香料成分を外部空間に揮散させるものや、送風ファンによって香料成分を外部空間に揮散させるアロマディフューザーが知られている（特許文献１）。また、香料成分をアロマディフューザーの設置環境に合わせて効率的に揮散させるために、揮散量や揮散時間などの揮散パラメータを、設定・制御することができるアロマディフューザーが知られている（特許文献２）。
【先行技術文献】
【特許文献】
【０００３】
【特許文献１】特開２０１６−０９７２０８号公報
【特許文献２】特開２００９−２８５０９８号公報
【発明の概要】
【発明が解決しようとする課題】
【０００４】
しかしながら、従来のアロマディフューザーは、揮散パラメータをユーザが設置環境に合わせて手動で設定する必要があり、そのためユーザは試行錯誤をしながら、最適な設定値の組み合わせを見出す必要があった。また、設置環境が変わった場合には、再度、最適なパラメータを設定し直す必要があり、ユーザへの負担となっていた。
【課題を解決するための手段】
【０００５】
本発明にかかるアロマディフューザーは、上記を鑑み、
筐体と、
香料成分が収容された香料容器の開口と外気とを連通する吹出経路と、
前記香料成分を前記吹出経路内に放出させる揮散機構と、
前記揮散機構の動作を制御する制御部と、
前記筐体が設置された環境を認識する環境認識部と
を備え、
前記制御部は、前記環境認識部から取得した設置環境に関する情報に基づいて、前記香料成分の揮散に関する制御パラメータを設定することを特徴とする。
【発明の効果】
【０００６】
本発明によれば、ユーザが揮散パラメータを設置環境に合わせて設定する手間をなくし、また、設置環境に応じて、好適なパラメータを設定することができる。
【図面の簡単な説明】
【０００７】
【図１】本発明の一実施形態に係るアロマディフューザーの斜視図。
【図２】本発明の一実施形態に係るアロマディフューザーの内部構造を示す斜視図。
【図３】本発明の一実施形態に係るアロマディフューザーの芳香制御の動作を説明する概念図。
【図４】本発明の一実施形態に係るアロマディフューザーの制御構成を示すブロック図。
【図５】本発明の一実施形態に係るアロマディフューザーの環境認識部の一例を示す図。
【図６】本発明の一実施形態に係るアロマディフューザーの広さ検出機能の原理を示す図。
【図７】本発明の一実施形態に係るアロマディフューザーの揮散パラメータ自動調整モードの動作フローチャート。
【図８】本発明の一実施形態に係る、多値レベル一線式データ通信の構成図。
【図９】本発明の一実施形態に係る、Ｄ／Ａ変換とＡ／Ｄ変換の条件
【図１０】本発明の一実施形態に係る、通信ラインの各種電圧レベルの定義
【図１１】本発明の一実施形態に係る、多値レベルを有する一線式通信方法
【図１２】本発明の一実施形態に係る、受信側のＡ／Ｄ変換実行タイミング
【図１３】本発明の一実施形態に係る、送信側の動作フローチャート
【図１４】本発明の一実施形態に係る、受信側の動作フローチャート
【発明を実施するための形態】
【０００８】
（第１実施形態）
＜全体構成＞
以下、図面を参照し、本発明の実施の形態について詳細に説明する。図１は、本発明の一実施形態にかかるアロマディフューザー１の外観を示す斜視図である。筐体１０の上部には、香料成分を空間に放出するための吹出口１１が設けられており、吹出口１１は、第１吹出口１１ａと第２吹出口１１ｂとが並んで設けられている。尚、以下の説明においては第１吹出口１１ａと第２吹出口１１ｂとをまとめて吹出口１１と呼ぶことがある。
【０００９】
詳細は後述するが、第１吹出口１１ａと連通する第１ボトル２０ａがその下部に設けられており、同様に第２吹出口１１ｂと連通する第２ボトル２０ｂがその下部に設けられている。第１ボトル２０ａから第１吹出口１１ａまでの吹出経路を含めた構造と第２ボトル２０ｂから第２吹出口１１ｂまでの吹出経路を含めた構造とは同等であるため、以下の説明においては基本的に、第１ボトル２０ａを例に挙げて説明する。尚、以下の説明においては第１ボトル２０ａと第２ボトル２０ｂとをまとめてボトル２０（香料容器）と呼ぶことがある。
【００１０】
このように配置されたボトル２０内に収容されている香料成分を、ボトル２０に隣接するように設けられた揮散機構３０によって吹出口１１から放出させることによって、アロマディフューザー１が設置される揮散空間内に香料成分を揮散させる。
【００１１】
なお、吹出口１１は、図１においては、開口が形成されているだけであるが、吹出方向を自在に変更できるノズルを設け、ユーザが所望の方向に制御可能なように構成しても良い。
【００１２】
また、本実施形態においては、ボトル２０を覆うように透明のカバー７０が設けられており、ユーザは滑り止め７０ａに触れてカバー７０を回動させて開くことでボトル２０へ触れることが可能となる。
【００１３】
＜内部構造＞
図２には、本発明の一実施形態に係るアロマディフューザー１の内部構造を示している。図２（ａ）には筐体１０を外した内部構造に関し、アロマディフューザー１におけるボトル２０が取り付けられる側（正面側）から見た斜視図を示しており、図２（ｂ）にはその反対側（背面側）から見た斜視図を示している。
【００１４】
図２（ａ）に示すように、ボトル２０の上部には、その内部に吹出経路を形成するボトルキャップ４０が設けられている。ボトルキャップ４０は、第１ボトル２０ａから第１吹出口１１ａを連通する第１吹出経路４１ａと、第２ボトル２０ｂから第２吹出口１１ｂを連通する第２吹出経路４１ｂとがそれぞれ別体に設けられている。但し、第１ボトルキャップ４０ａと第２ボトルキャップ４０ｂとを一体に形成し、その内部に例えば隔壁によって仕切った状態で第１吹出経路４１ａと第２吹出経路４１ｂとを形成しても良い。
【００１５】
第１ボトルキャップ４０ａは、第１ボトル２０ａと嵌合する構造を有し、第１ボトル２０ａと第１吹出経路４１ａとを連通する第１ボトルキャップ入口４２ａを有しており、図２（ｂ）に示す第１揮散機構３０ａを駆動することによって第１ボトル２０ａから放出された香料成分が、第１ボトルキャップ４０ａ内の第１吹出経路４１ａを通流して第１ボトルキャップ出口４３ａに到達し、筐体１０に設けられた第１吹出口１１ａから揮散空間（外気）に向けて揮散させられる。
【００１６】
なお、ボトルキャップ４０とボトルキャップ出口４３との間には、ノイズキャンセラが設けられている。ボトルキャップ出口４３からは、揮散機構３０によって生成されて吹出経路４１を通流した空気が吹き出されるため、風切り音などの騒音が生じやすい。この風切り音を低減するために、吹出口１１に近いこの場所に配置したノイズキャンセラによって逆位相の音を出すことで、効果的に吹出口１１から聞こえる風切り音を低減することができる。
【００１７】
また、風切り音に対し、ノイズキャンセルと組み合わせるか、これとは別に、１／ｆ揺らぎに相当する周波数成分となるように、所定周波数の音波を出力するスピーカーを備えても良い。この場合、ノイズキャンセラとは異なり、予め測定した駆動音（風切り音を含む）に対し出力する音波を設定しておく事が好ましい。
【００１８】
＜揮散機構＞
ここで、揮散機構３０について詳細に説明する。揮散機構３０は、上述したように、ボトル２０に収容された香料成分を、ボトルキャップ４０内の吹出経路４１に通流させて、吹出口１１から揮散空間に向けて揮散させるものであり、第１吹出経路４１ａに対応する第１揮散機構３０ａと、第２吹出経路４１ｂに対応する第２揮散機構３０ｂとを有する。
【００１９】
揮散機構３０の一例として、本実施形態においては、ダイアフラムポンプを内蔵したコンプレッサ３１とコンプレッサ３１とボトルキャップ４０とを接続する接続管３２とによって構成されており、第１揮散機構３０ａと第２揮散機構３０ｂとに対応してそれぞれ複数設けられている。また、接続管３２はシリコーンゴムやＰＶＣ（ポリ塩化ビニル）などの樹脂材料によってチューブ状に形成されており、本実施形態においては、図２（ｂ）に示している通り、第１ボトルキャップ４０ａの背面側に第２コンプレッサ３１ｂが、また、第２ボトルキャップ４０ｂの背面側に第１コンプレッサ３１ａがそれぞれ配置されるように、コンプレッサ３１の上部において、交差するように配置され、コンプレッサ３１とボトルキャップ４０とに接続されている。
【００２０】
このように接続管３２を交差して配置することによって、強度を考慮して剛性の比較的高い材質で接続管３２を形成する場合であっても、引き回すスペースを確保することができる。
【００２１】
図３には、本発明の一実施形態に係るアロマディフューザーの芳香制御の動作を説明する概念図を示している。図３に示すように、コンプレッサ３１によって発生した空気の流れが、ボトルキャップ４０に流入し、その空気の流れがエジェクタとして機能することによって、ボトル２０から香料成分が吹出経路４１に流入する。
【００２２】
香料成分は、霧状に吹出経路４１に流入するが、そのうち粒子径の大きいものについては、ボトルキャップ４０の外壁に衝突してそのまま落下することで逆流路４４に流入してボトル２０内に戻る。
【００２３】
吹出経路４１内を通流する香料成分は、コンプレッサ３１によって発生した空気と共にボトルキャップ４０内で迂回するように形成された吹出経路４１に沿って下流側に通流し、ボトルキャップ出口４３に到達する。その後図１に示す吹出口１１から揮散空間に向けて放出される。
【００２４】
このように形成される揮散機構３０においては、ボトル２０やコンプレッサ３１の長手方向を揃えて配置することによって省スペースな配置が可能となるが、図３に示すように、ボトル２０とコンプレッサ３１との長手方向をアロマディフューザー１の上下方向に沿って配置することが好ましい。この場合に、コンプレッサ３１とボトルキャップ４０とを接続する接続管３２をできるだけ短く構成することが好ましいが、一方で、ボトルキャップ４０に対して流入する空気の進行方向は、図３における横方向すなわち、ボトルキャップ４０における筐体１０の設置面方向に流入させることが好ましい。
【００２５】
その理由として、この設置面方向に流入させることによって、ボトルキャップ４０内においてボトル２０内の香料成分に対してエジェクタ効果を発生させやすくすると共に、ボトルキャップ４０内を上下方向に通流させながら設置面方向に空気の流れる吹出経路４１を形成することで、香料成分の気液分離を行いやすくすることができる。
【００２６】
そのため、接続管３２の経路は、図３に示すように筐体１０の側方から見た際に直角に折れ曲がるように形成することが好ましい。その場合に、接続管３２の強度（剛性）などを考慮したＲを形成すると、Ｒを大きくとる必要が生じるが、本実施形態においては、図２（ｂ）に示すように、第１ボトルキャップ４０ａの背面側に第２コンプレッサ３１ｂが、また、第２ボトルキャップ４０ｂの背面側に第１コンプレッサ３１ａがそれぞれ配置されるように、コンプレッサ３１の上部において、交差するように配置することで、接続管３２の配置スペースを低減することができる。
【００２７】
これは３つ以上のボトル２０を取り付け可能に構成した場合においても同様であり、各コンプレッサ３１から接続される接続管３２の接続先となるボトルキャップ４０が、隣接するコンプレッサ３１の上部に位置するボトルキャップとなるように接続することで、それぞれの接続管３２の引き回しを効率的に行うことができ、筐体１０の小型化を図ることができる。
【００２８】
以上説明したように、香料成分の揮散量は、コンプレッサ３１によって発生する空気量に比例する。換言すれば、香料成分の揮散量を、コンプレッサ３１の駆動条件（駆動電流、駆動時間）を制御することによって調整可能である。
【００２９】
＜ブロック図＞
図４は、本実施形態に係るアロマディフューザー１の制御構成を示すブロック図である。図４に示すように、ＣＰＵ（Ｃｅｎｔｒａｌ  Ｐｒｏｃｅｓｓｉｎｇ  Ｕｎｉｔ）５０、コンプレッサ３１、記憶部５１、通信ＩＦ（ＩｎｔｅｒＦａｃｅ）５２、操作部５３、表示部５４、電源部５５、環境認識部５６などを備えている。
【００３０】
ＣＰＵ５０は、アロマディフューザー１の各部全体を統括して制御を行う制御部である。なお、図４においては各構成がＣＰＵ５０とのみ接続されているが、バスを通じてそれぞれが接続されて直接信号のやり取りを行うように構成しても良い。
【００３１】
記憶部５１は、ＲＯＭやＲＡＭなどの記憶デバイスによって構成されており、ＣＰＵ５０が各部を制御するために必要な各種プログラムや制御処理に必要なデータ等が記憶されている。例えば、コンプレッサ３１の駆動制御のために必要なデータ以外にも、後述する通信ＩＦ５２や表示部５４を制御するために必要なデータ等も記憶されており、ＣＰＵ５０はこれらのデータを利用して通信ＩＦ５２や表示部５４を制御する。
【００３２】
通信ＩＦ５２は、外部機器との間で通信を行うためのインターフェースであり、各無線通信規格に対応した無線モジュールや、有線接続するためのＬＡＮコネクタやＵＳＢコネクタなどである。
【００３３】
表示部５４は、アロマディフューザー１の動作状態などをユーザに通知すべく、筐体１０に設けられたＬＣＤなどのディスプレイやＬＥＤなどのインジケータである。アロマディフューザー１の動作モード（コンプレッサ３１の動作状態）に応じた表示態様になるようにＣＰＵ５０が表示部５４を制御することによってユーザがアロマディフューザー１の動作モードを把握しやすくなる。また、動作モード以外にも、電源のオン、オフ状態や、通信ＩＦ５２での通信状態を表示しても良い。
【００３４】
操作部５３は、ユーザがＣＰＵ５０に対してアロマディフューザー１の動作モードの制御指示などを入力するためのインターフェースであり、一例としては、筐体１０の外表面に配置されたタクトスイッチなどである。また、ＬＣＤなどのディスプレイや機能を示したデザインなどの上に貼り付けたタッチパネルによって構成しても良い。
【００３５】
電源部５５は、電池やＡＣアダプタによって構成される電源に接続される電源回路であり、各部に対して必要な電力を生成して供給するものである。そのため、図４においては、電源部５５はＣＰＵ５０にのみ接続されているが、実際には各部に対して接続されており、各部の駆動に必要な電力を供給している。ＣＰＵ５０によってそれらの電力供給の制御を行うように構成しても良い。また、電池としては本体に内蔵される内蔵電池などでも良いし、ＵＳＢケーブルなどによって接続されるモバイルバッテリのような外部電池でも良い。なお、電池を内蔵するように構成する場合には、その充電のための機構は特に限定されない。たとえばＵＳＢケーブルなどによって供給された電流によって充電されるようにしても良いし、無線給電などによって充電可能な充電回路を有しても良い。
【００３６】
環境認識部５６は、アロマディフューザー１が設置された周囲環境の状態を検出するセンサ群から構成されており、空間計測部５６ａ、温湿度計測部５６ｂが含まれる。各計測部は検出した周囲環境の情報をＣＰＵ５０へ通知し、ＣＰＵ５０はこの情報をもとに揮散パラメータ（揮散制御の制御パラメータ）の設定、および制御を行う。
【００３７】
空間計測部５６ａは、距離センサ５６ａ１と、一定の角速度ωで回転する回転駆動部５６ａ２から構成されており、距離センサ５６ａ１を回転駆動部５６ａ２によって回転させることで、アロマディフューザー１を基準とした各方向の壁までの距離を計測することができる。
【００３８】
温湿度計測部５６ｂは、温度センサ５６ｂ１と、湿度センサ５６ｂ２から構成されており、アロマディフューザー１の設置環境における温度と湿度をそれぞれ計測することができる。
【００３９】
図５には、実際に環境認識部５６をアロマディフューザー１へ取り付ける場合の例を示す。図５のように、空間計測部５６ａはアロマディフューザー１の上部に設置することが望ましい。これにより、アロマディフューザー１の周囲に障害物がある場合でも、高さにより回避することができ、空間の広さを検出しやすくなる。
【００４０】
また、温湿度計測部５６ｂは、図５のように、空間計測部５６ａを挟んで吹出口１１の反対側に設置することが望ましい。これにより、吹出口１１からの噴霧の影響を受けずに吹出口１１近傍の温湿度を検出することができ、後述の揮散パラメータ自動調整モードにおいて、温湿度の変化に対する制御の追従性を向上することができる。なお、温湿度計測部５６ｂは、必ずしも吹出口１１と空間計測部５６ａを挟んだ反対側に配置する必要はなく、図５における吹出口１１の下方におけるボトル２０ａとボトル２０ｂとの間など、所望の位置に配置して良い。
【００４１】
本実施形態に係るアロマディフューザー１は、環境認識部５６として、空間計測部５６ａ、温湿度計測部５６ｂのみを含む構成としているが、この限りではない。たとえば、上記以外にも香料成分の揮散性に関わる環境パラメータがあれば、その検出に適したセンサを含む計測部を環境認識部５６として採用し、構成の一部に含めても良い。
【００４２】
図５では、距離センサ５６ａ１の計測方向がアロマディフューザー１の接地面と平行になるように設置しているが、一定の仰角をつけて設置する構成としても良い。これにより、アロマディフューザー１の周囲の障害物を、より効率的に回避することができる。但しこの場合には、後述の広さ検出機能に対して、仰角分の補正計算を行う必要がある。
【００４３】
前記の空間計測部５６ａは、１つの距離センサ５６ａ１を回転させることで、各方向の距離を計測する構成としたが、この限りではない。たとえば、アロマディフューザー１の筐体の各面に複数の距離センサを設けることで、各方向の距離を計測するようにし、回転駆動部５６ａ２を削除する構成としても良い。
【００４４】
また、図４において、環境認識部５６はアロマディフューザー１の一部として、ＣＰＵ５０に接続される構成としたが、この限りではない。たとえば、外部機器から通信ＩＦ５２を介して設置環境の各種情報を受信することで、環境認識部５６の代用とし、アロマディフューザー１とそれらの外部機器とで香料揮散システムを形成しても良い。
【００４５】
上記の外部機器の具体例として、エアコンや空気清浄機などの製品が挙げられる。これらの製品は部屋の温湿度を管理しているため、設置環境の温湿度データを直接取得することができる。また、部屋の広さに応じて製品型番が決まっていることも多いため、製品型番や対応畳数などのデータを取得して、部屋の広さに関する情報として代用することができる。製品型番や対応畳数などのデータは、直接外部機器とアロマディフューザー１とで通信することで取得しても良いし、外部機器の製品型番や対応畳数に関する数値を操作部５３などに入力するようにしても良い。
【００４６】
＜環境認識機能：広さ検出＞
以下では、ＣＰＵ５０によって制御されるアロマディフューザー１の環境認識機能について説明する。本実施形態に係るアロマディフューザー１は、環境認識機能の一例として広さ検出機能を有する。一般に、香料成分の揮散量や揮散時間が一定の場合、設置空間が狭いほど香料成分は行き渡りやすく、逆に、設置空間が広いほど香料成分は行き渡りにくい。そこで、以下に説明する広さ検出機能によって設置空間の広さを検出し、その結果に応じて揮散パラメータを調整することで、設置空間に適した制御を行うことができる。以下、空間計測部５６ａによる広さ検出機能の制御内容について、図６を参照して説明する。
【００４７】
ＣＰＵ５０は、回転駆動部５６ａ２を一定の角速度ωで回転させる。回転駆動部５６ａ２の角速度が、その特性上、初角速度からωに至るまで一定の時間を要する場合には、その時間だけ待つようにする。
【００４８】
角速度がωに至る時間が不定の場合には、空間計測部５６ａにジャイロセンサを設置し、回転駆動部５６ａ２の角速度をリアルタイムに検出することで、その値が一定のωになるタイミングを確認できる構成にしても良い。
【００４９】
回転駆動部５６ａ２が一定の角速度ωに至った後、ＣＰＵ５０は距離センサ５６ａ１を一定の時間間隔Δｔで距離計測を行うように制御する。このΔｔの間に空間計測部５６ａが回転する角度はωΔｔである。すなわち、空間計測部５６ａがΔｔの間に掃引する空間の面積ΔＳｉは、図６から次式により求めることができる。
【数１】
2020062300.tif 000003
【００５０】
ここで、ｒｉ は、距離計測開始からｉ回目に距離センサ５６ａ１が計測した距離である。
【００５１】
設置空間の面積Ｓは、上記の処理をアロマディフューザー１の周囲３６０度（２π）に亘って連続的にＮ回行い、ΔＳｉの総和を計算することにより、多角形として近似的に求めることができる。ここで回数Ｎは、角速度ωと時間間隔Δｔから、次式により求めることができる。
【数２】
2020062300.tif 000004
【００５２】
ＣＰＵ５０は、式２により求めた設置空間の面積Ｓの結果をもとに、香料成分の揮散量や揮散時間など、揮散パラメータの調整を行う。
【００５３】
式２から解るように、角速度ωと時間間隔Δｔは、その積が２πで割り切れるように設定することが、面積Ｓの精度を高める上で望ましい。
【００５４】
また、角速度ωと時間間隔Δｔを小さく設定し、回数Ｎを大きくとることが、面積Ｓの精度を高める上で望ましい。
【００５５】
上記において、回転駆動部５６ａ２の角速度ωは一定としたが、この限りではない。たとえば、空間計測部５６ａにジャイロセンサを設置し、時刻ｔにおける瞬間的な角速度ω（ｔ）を検出することで、Δｔの間に掃引する角度ω（ｔ）Δｔを算出し、式１のωΔｔとして代用しても良い。これにより、回転駆動部５６ａ２の角速度が、時間的に変動する場合にでも、設置空間の面積Ｓを求めることができる。
【００５６】
この場合の回数Ｎは、式２ではなく、ＣＰＵ５０の内部でω（ｔ）Δｔについての積算処理を随時行い、その値が２πを超えるまで処理を繰り返し行うようにすれば良い。
【００５７】
また上記において、空間計測部５６ａは設置空間の面積を検出する構成としたが、この限りではない。たとえば、アロマディフューザー１の天面部に高さ方向の距離を計測する距離センサを設けることで、設置空間の体積を検出する構成としても良い。
【００５８】
＜環境認識機能：温湿度検出＞
本実施形態に係るアロマディフューザー１は、環境認識機能の一例として温湿度検出機能を有する。一般に、香料成分の揮散量や揮散時間が一定の場合、設置空間の温度が高いほど、また湿度が低いほど香料成分は拡散しやすく、逆に、設置空間の温度が低いほど、また湿度が高いほど香料成分は拡散しにくい。そこで、以下に説明する温湿度検出機能によって設置空間の温湿度を検出し、その結果に応じて揮散パラメータを調整することで、設置空間に適した制御を行うことができる。以下、温湿度計測部５６ｂによる、温湿度検出機能の制御内容について説明する。
【００５９】
ＣＰＵ５０は、温度センサ５６ｂ１から周囲環境の温度を、湿度センサ５６ｂ２から周囲環境の湿度を、それぞれ取得する。
【００６０】
ＣＰＵ５０は、周囲環境の温度や湿度の情報をもとに、香料成分の揮散量や揮散時間など、揮散パラメータの調整を行う。
【００６１】
＜動作モード：揮散パラメータ自動調整モード＞
以下では、ＣＰＵ５０によって制御されるアロマディフューザー１の動作モードについて説明する。本実施形態に係るアロマディフューザー１は、動作モードの一例として揮散パラメータ自動調整モードを有する。
【００６２】
ＣＰＵ５０に対し、揮散パラメータ自動調整モードでの動作指示が、通信ＩＦ５２、または操作部５３に対する操作入力にもとづいて入力されると、ＣＰＵ５０がアロマディフューザー１を揮散パラメータ自動調整モードに設定する。ＣＰＵ５０は、揮散パラメータ自動調整モードで動作するために、以下の制御を行う。
【００６３】
ＣＰＵ５０は、広さ検出機能と温湿度検出機能をそれぞれ有効にし、アロマディフューザー１が設置された周囲環境の情報、すなわち、設置空間の面積と温湿度を取得する。
【００６４】
ＣＰＵ５０は、取得した周囲環境の情報について、記憶部５１内のデータベースとの比較を行い、取得情報にもっとも近い条件を検索・選択して、対応する揮散量や揮散時間などの揮散パラメータの設定をアロマディフューザー１へ反映し、動作を行う。
【００６５】
上記の動作を一定の時間間隔Ｔｉｎｔで行い、周囲環境の状態に変化があった場合は、再度、記憶部５１内のデータベースとの比較を行い、最適な揮散パラメータを選択して、アロマディフューザー１へ反映する。
【００６６】
揮散パラメータ自動調整モードを終了したい場合は、揮散パラメータ自動調整モードの終了指示を、通信ＩＦ５２、または操作部５３から行う。
【００６７】
記憶部５１内のデータベースの一例を表１に示す。想定し得るデータベースの情報は、この限りではない。
【表１】
2020062300.tif 000005
【００６８】
上記の揮散パラメータ自動調整モードについて、動作フローチャートを図７に示す。アロマディフューザー１が揮散パラメータ自動調整モードに設定されると、ステップＳ１において、広さ検出機能と温湿度検出機能を有効にし、それぞれの検出結果が入力されるのを待機する（ステップＳ２）。なお、上述した方法によってそれぞれの検出結果が入力されるように構成しても良いし、それ以外の方法を用いても良い。また、必ずしも両方の検出結果が取得されなかったとしてもこのステップを完了できるようにしても良く、例えば所定時間が経過した時点で一方の検出結果しか入力されていなかった場合に、他方の検出結果を代表的な値や最も揮散しにくい場合に対応した入力があったと見做すようにしても良い。
【００６９】
検出結果が入力されると、記憶部５１内のデータベースとの比較を行い（ステップＳ３）、
ステップＳ４において、もっとも近い条件の揮散パラメータをアロマディフューザー１へ設定する。
【００７０】
ステップＳ５において、時間Ｔｉｎｔが経過するのを待機し、Ｔｉｎｔが経過後、揮散パラメータ自動調整モードの終了指示がなければ（ステップＳ６）、ステップＳ１へ戻り、上記のステップを繰り返す。ステップＳ１からステップＳ６をループして随時条件変更しながら処理される場合であっても、揮散パラメータ自動調整モードの実行を開始した時点から、タイマーはリセットせずに用いることが好ましい。
【００７１】
ステップＳ６において、揮散パラメータ自動調整モードの終了指示があった場合は、揮散パラメータ自動調整モードを終了する。揮散パラメータ自動調整モードの終了指示の例としては、揮散パラメータ自動調整モードの実行時間が設定された揮散時間を超えた際に出力される終了信号や、ユーザによる操作部５３への停止指示が含まれる。
【００７２】
上記の揮散パラメータ自動調整モードにおいて、広さ検出機能と温湿度検出機能は両方実行するものとしたが、この限りではない。たとえば、どちらか一方の検出機能のみを実行するように制御しても良い。アロマディフューザー１が２つ以上の環境認識機能を有する場合でも、少なくとも１つ以上の検出機能を実行するように制御すれば良い。
【００７３】
上記において、データベースは記憶部５１内にあるとしたが、この限りではない。たとえば、クラウドサーバー上にデータベースを置いておき、通信ＩＦ５２を介して、クラウドサーバーにアクセスする構成としても良い。これにより、記憶部５１のデータ保存容量を削減することができる。
【００７４】
また、パラメータの自動調整動作を一定の時間間隔Ｔｉｎｔで行うとしたが、この限りではない。たとえば、揮散パラメータ自動調整モードでの動作指示が、通信ＩＦ５２、または操作部５３に対する操作入力にもとづいて入力された場合に、一度だけ実行し、揮散パラメータ自動調整モードを終了しても良い。これにより、環境認識部の使用頻度を減らすことができ、アロマディフューザー１の消費電力を削減することができる。
【００７５】
＜動作モード：マニュアルモード＞
本実施形態に係るアロマディフューザー１は、動作モードの一例としてマニュアルモードを有する。
【００７６】
ＣＰＵ５０に対し、マニュアルモードでの動作指示が、通信ＩＦ５２、または操作部５３に対する操作入力にもとづいて入力されると、ＣＰＵ５０がアロマディフューザー１をマニュアルモードに設定する。ＣＰＵ５０は、マニュアルモードで動作するために、以下の制御を行う。
【００７７】
ＣＰＵ５０は、マニュアルモードでの動作指示に続いて、揮散量や揮散時間などの揮散パラメータの設定値を通信ＩＦ５２、または操作部５３に対する操作入力から取得する。
【００７８】
ＣＰＵ５０は、取得した各種揮散パラメータの設定値をアロマディフューザー１へ反映し、動作を行う。
【００７９】
（第２実施形態）
以下、本発明に係る第２実施形態について説明する。本発明に係るアロマディフューザーにおいては、外部機器とデータ通信を行うことができ、その際に、一線式データ通信、特に通信ラインで使用する電圧レベルが多値となる通信方法を用いることができる。
【００８０】
従来から、多値の電圧レベルを有する信号を、１本の信号線を介して通信する一線式データ通信が知られている。一線式データ通信は、１本の通信ラインのみでデータの送受信を行うことができるため、よく知られるＲＳ−２３２Ｃなどの複線式通信と比較して、ハードウェア資源を節約することが可能である。また、多値の電圧レベルを使用することにより、２値（１または０）の通信と比較して、大容量のデータを短時間で送受信することが可能である。
【００８１】
本実施形態においては、多値レベルを有する一線式データ通信について、通信データの信頼性を向上させることができるものである。一線式データ通信において、通信のタイミングを確実に検知する工夫がなされていない場合、データを誤って認識する虞がある。また、識別パルスを導入することで、通信データブロックの開始位置と通信速度を明確にし、通信データの信頼性を向上させることもできるが、受信側に複数のタイマーの使用が要求されたりするため、受信側のデバイスに対して制約と負荷を課すこととなる。
【００８２】
これに対し、本実施形態の一線式データ通信では、データの表現に使用する電圧レベルの領域とは別に、前記領域から大きく離れた複数の識別レベルをもつことを特徴とする。
【００８３】
また、上記の一線式データ通信は、通信データブロックの開始位置と終了位置を表す、『データブロック識別レベル』をもつことを特徴としても良い。かかる態様によれば、受信側は通信データブロックの開始位置と終了位置を確実に検知することができ、通信タイミングの同期を正確にとることが可能である。
【００８４】
また、上記の一線式データ通信は、通信データブロック内に含まれる個々のデータの区切りを表す、『単位データ識別レベル』をもつことを特徴としても良い。かかる本発明の態様によれば、受信側は通信データブロック内に含まれる個々のデータの区切りを確実に検知することができ、個々のデータの信頼性を高めることが可能である。
【００８５】
また、上記の一線式データ通信は、受信側が通信ラインを単位データ幅より短い時間間隔で確認することを特徴としても良い。かかる本発明の態様によれば、時間間隔を管理する単一のタイマーで、上記の識別レベル、および、個々の通信データを確実に検知することが可能である。
【００８６】
本実施形態によれば、データの表現に使用する電圧レベルの領域よりも、大きく離れた電圧レベルを『データブロック識別レベル』として導入することで、通信タイミングの同期を正確にとることが可能である。
【００８７】
また、データの表現に使用する電圧レベルの領域よりも、大きく離れた電圧レベルを『単位データ識別レベル』として個々のデータの間に挟むことで、個々のデータの信頼性を高めることが可能である。
【００８８】
また、一線式データ通信の受信側に、一定の時間間隔を管理する単一のタイマーのみを要求するため、タイマー資源を節約することができ、受信側のデバイスへの制約と負荷を緩和することが可能である。
【００８９】
以下では、図面を参照にして、本発明の実施形態について詳細に説明する。図８は本発明の一実施形態である、多値レベルを有する一線式データ通信の構成図である。同図においてデバイス１００は、多値レベルを有する一線式データ通信を実装している。Ｄ／Ａ変換部１０１は、送信側として一線通信ライン３００へ所望の電圧レベル出力を行う。また、Ａ／Ｄ変換部１０２は、受信側として一線通信ライン３００の電圧レベル検出を行う。
【００９０】
Ｄ／Ａ変換部１０１、およびＡ／Ｄ変換部１０２は、制御演算部１０３と接続されており、制御演算部１０３からの指令を受けて、それぞれＤ／Ａ変換、およびＡ／Ｄ変換処理を実行する。なお、Ｄ／Ａ変換部１０１、およびＡ／Ｄ変換部１０２は、制御演算部１０３の内蔵機能として含まれていても良い。
【００９１】
図８においては、上記デバイス１００と同様の構成をもつ、多値レベルを有する一線式データ通信を実装した別のデバイス２００が存在し（Ｄ／Ａ変換部２０１、Ａ／Ｄ変換部２０２、制御演算部２０３が含まれる）、デバイス１００とデバイス２００の間で、一線通信ライン３００を介して一線式データ通信を行う場合の例を図示している。
【００９２】
以下では、上記構成において、多値レベルを有する一線式データ通信を実現するために、Ｄ／Ａ変換部１０１、２０１、およびＡ／Ｄ変換部１０２、２０２に求められる条件について、図９をもとに説明する。デバイス１００を送信側、デバイス２００を受信側とする。送信側のＤ／Ａ変換部１０１による電圧出力可能範囲をΔＶｄａ１、ΔＶｄａ１の範囲内の電圧出力分解能をΔＰｄａ１とする。また、受信側のＡ／Ｄ変換部２０２による電圧検出可能範囲をΔＶａｄ２、ΔＶａｄ２の範囲内の電圧検出分解能をΔＰａｄ２とする。このとき、ΔＶｄａ１とΔＶａｄ２、およびΔＰｄａ１とΔＰａｄ２の間には、それぞれ式３の条件が成り立つ必要がある。
【数３】
2020062300.tif 000006
【００９３】
これは、送信側の電圧出力可能範囲を受信側ですべて検出することができ、かつ送信側の電圧出力分解能よりも細かい分解能で電圧レベルを検出できることを意味する。
【００９４】
逆に、デバイス２００を送信側、デバイス１００を受信側とした場合、Ｄ／Ａ変換部２０１による電圧出力可能範囲をΔＶｄａ２、ΔＶｄａ２の範囲内の電圧出力分解能をΔＰｄａ２、また、受信側のＡ／Ｄ変換部１０２による電圧検出可能範囲をΔＶａｄ１、ΔＶａｄ１の範囲内の電圧検出分解能をΔＰａｄ１とすると、ΔＶｄａ２とΔＶａｄ１、およびΔＰｄａ２とΔＰａｄ１の間には、それぞれ式４の条件が成り立つ必要がある。
【数４】
2020062300.tif 000007
【００９５】
デバイス１００とデバイス２００の間で双方向の通信を行う場合は、互いに同じ範囲と分解能の電圧出力／検出能力をもつ、Ｄ／Ａ変換部、またＡ／Ｄ変換部を選択した方が、後述の通信仕様を実現する上で便利である。すなわち、式５の条件が成り立つことである。
【数５】
2020062300.tif 000008
【００９６】
以下では、式５の条件が成り立っているものとして説明する。
【００９７】
以下、本発明の通信方法を実施するための、各種電圧レベルの定義について、図１０をもとに説明する。デバイス１００を送信側、デバイス２００を受信側とする。送信側の電圧出力可能範囲ΔＶｄａ１における、最大値Ｖｄｂを、『データブロック識別レベル』として定義する。
【００９８】
送信側の電圧出力可能範囲ΔＶｄａ１における、最小値Ｖｕｄを、『単位データ識別レベル』として定義する。
【００９９】
前記のデータブロック識別レベルＶｄｂ、および単位データ識別レベルＶｕｄの間の電圧レベルにおいて、通信データの表現に使用する領域『データ表現レベル領域』ΔＶｄａｔａを定義する。この領域は、前記のデータブロック識別レベルＶｄｂ、および単位データ識別レベルＶｕｄから、それぞれできる限り大きく隔てた領域として定義することが望ましい。すなわち、データ表現レベル領域ΔＶｄａｔａの範囲内での最大値をＶｈｉ、最小値をＶｌｏとすると、式６の条件が成り立つように定義する。
【数６】
2020062300.tif 000009
【０１００】
上記の定義において、『データブロック識別レベル』Ｖｄｂ、および『単位データ識別レベル』Ｖｕｄはそれぞれ、送信側の電圧出力可能範囲ΔＶｄａ１における最大値、および最小値としたが、これは一例であり、この限りではない。上記の式４の条件が成り立つようにＶｄｂ、およびＶｕｄの値を自由に決めても良い。目安として、後述の『データ表現レベル領域ΔＶｄａｔａにおけるデータ表現の一定のデータ間隔』に対し、その２倍以上の距離がデータ表現レベル領域ΔＶｄａｔａから離れるように各識別レベル（Ｖｄｂ、Ｖｕｄ）を定義することが、各レベルの差異を明確にするためにも望ましい。また、データ表現レベル領域ΔＶｄａｔａにおけるデータ表現のデータ間隔が一定とならないように設定している場合には、その中から最大のものを選び、その２倍以上の間隔をあけて上記の識別レベルを定義することが、各レベルの差異を明確にするためにも望ましい。
【０１０１】
前記のデータ表現レベル領域ΔＶｄａｔａを、任意の数、および幅をもった複数の領域に分割し、それぞれの領域に所望のデータ表現レベルを割り当てる。この分割数、および分割幅は、受信側のＡ／Ｄ変換部２０２の電圧検出分解能ΔＰａｄ２で、それぞれの領域を区別できる限り、任意に選ぶことができる。本実施形態では一例として、分割数を１６、分割幅をすべて等間隔とし、電圧レベルの低い領域から順に、１６進数の０〜Ｆをデータ表現レベルとして割り当てた場合を表２に示す。なお、データ表現レベルの割り当て方やその順序は一例であり、この限りではない。以下の説明においては、データ表現レベル領域ΔＶｄａｔａ内に対応する電圧レベルをデータ表現レベルと称して説明する。
【表２】
2020062300.tif 000010
【０１０２】
以下では図１１をもとに、本実施形態での通信方法について詳細に説明する。通信を行わない場合、送信側は通信ラインを、データブロック識別レベルＶｄｂの状態で維持する。（図１１中の（１））受信側は、通信ラインがこの状態にあることを検出して、通信していないことを認識することが可能である。
【０１０３】
通信を開始する場合、送信側は通信ラインを、データブロック識別レベルＶｄｂから、単位データ識別レベルＶｕｄに変化させる。（図４中の（２））受信側は、この通信ラインの変化（立ち下がり）を検出して、通信が始まることを認識することが可能である。
【０１０４】
通信開始から最初のデータを送信する場合、送信側は通信ラインを、単位データ識別レベルＶｕｄから、データ表現レベル領域ΔＶｄａｔａ内の、送信データに対応する電圧レベルまで変化させる。たとえば送信データが“６”の場合、送信側は通信ラインを、表１の領域Ｎｏ．７の電圧レベル範囲まで変化させる（図１１中の（３））。受信側は、この通信ラインの変化（立ち上がり）と通信ラインの電圧レベルを検出して、受信データが“６”であることを認識することが可能である。これにより、最初のデータの送信が完了する。
【０１０５】
続けてデータを送信する場合、送信側は通信ラインを、単位データ識別レベルＶｕｄに変化させる（図１１中の（４））。受信側は、この通信ラインの変化（立ち下がり）を検出して、次の通信データが送信されることを認識することが可能である。
【０１０６】
送信側は通信ラインを、次の送信データに対応する、データ表現レベル領域ΔＶｄａｔａ内の電圧レベルまで変化させる。たとえば送信データが“２” の場合、送信側は通信ラインを、表１の領域Ｎｏ．３の電圧レベル範囲まで変化させる（図４中の（５））。受信側は、この通信ラインの変化（立ち上がり）と通信ラインの電圧レベルを検出して、受信データが“２”であることを認識することが可能である。
【０１０７】
上記の手順を繰り返すことにより、一連のデータを続けて送信することが可能である。図１１では、８個のデータを続けて送信している様子を示している。なお、この一連のデータの個数は一例であり、この限りではない。
【０１０８】
通信を終了する場合、送信側は通信ラインを一度、単位データ識別レベルＶｕｄに変化させ、その後、データブロック識別レベルＶｄｂに変化させる。（図１１中の（６））受信側は、この通信ラインの変化（立ち上がり）を検出して、通信が終わることを認識することが可能である。
【０１０９】
上記の一連の通信動作において、送信側が同じ電圧レベルを維持する時間ΔＴは、任意に選ぶことができる。ただし、受信側は通信ラインの状態変化を漏れなく検出するために、図１２に示すように、ΔＴよりも短い時間間隔ΔＴｉｎｔで、通信ラインを確認する必要がある。すなわち、以下の式７の条件が成り立つ一定の時間間隔ΔＴｉｎｔで、制御演算部２０３からＡ／Ｄ変換部２０２へ指令を出し、Ａ／Ｄ変換処理を実行する必要がある。
【数７】
2020062300.tif 000011
【０１１０】
前記の一定の時間間隔ΔＴｉｎｔを実現するために、制御演算部２０３に内蔵のインターバルタイマーを使用しても良い。ただし、制御演算部２０３に内蔵のインターバルタイマーの使用は一例であり、一定の時間間隔ΔＴｉｎｔを実現する手段はこの限りではない。
【０１１１】
前記の一定の時間間隔ΔＴｉｎｔについて、制御演算部２０３の１ラウンドロビンΔＴｒｒがΔＴよりも常に短い場合、すなわち、以下の式８の条件が成り立つ場合は、ΔＴｉｎｔをΔＴｒｒで代用し、１ラウンドロビン内の一連の処理としてＡ／Ｄ変換の実行を行うことで、インターバルタイマーを廃止しても良い。
【数８】
2020062300.tif 000012
【０１１２】
上記の一連の通信動作において、送信側が同じ電圧レベルを維持する時間ΔＴは、一定でなくても良い。送信側が電圧レベルを維持する時間ΔＴが、通信中に変動する場合でも、受信側が通信ラインを確認する時間間隔ΔＴｉｎｔがΔＴよりも常に短い、すなわち、式７の条件を満たしていれば通信は可能である。
【０１１３】
図１３は送信側の一連の動作内容を、フローチャート形式で示したものである。ステップＳ５００の初期状態では、通信ライン３００の電圧レベルはデータブロック識別レベルＶｄｂにある。
【０１１４】
ステップＳ５０１において送信処理を開始する場合は、ステップＳ５０２に進み、通信ライン３００の電圧レベルを単位データ識別レベルＶｕｄにする。
【０１１５】
電圧レベルを維持する時間ΔＴが経過（ステップＳ５０３）後、ステップＳ５０４においてデータを送信する場合は、ステップＳ５０５に進み、通信ライン３００を送信データに対応する電圧レベルにする。一例としては、図１１において、データ表現レベル領域ΔＶｄａｔａ内の『５』と『６』との中点に相当する電圧レベルである。ΔＴが経過（ステップＳ５０６）後、ステップＳ５０７で通信ライン３００を単位データ識別レベルＶｕｄにする。
【０１１６】
通信ライン３００を単位データ識別レベルＶｕｄにしてからΔＴが経過（ステップＳ５０３）後、ステップＳ５０４において継続してデータを送信する場合は、上記のステップを繰り返す。
【０１１７】
ステップＳ５０４において送信処理を終了する場合は、ステップＳ５０８に進み、通信ライン３００をデータブロック識別レベルＶｄｂにする。ΔＴが経過（ステップＳ５０９）後、ステップＳ５０１に戻る。
【０１１８】
図１４は受信側の一連の動作内容を、フローチャート形式で示したものである。ステップＳ６００の初期状態では、通信ライン３００の電圧レベルはデータブロック識別レベルＶｄｂにある。
【０１１９】
受信側は、時間ΔＴｉｎｔの経過（ステップＳ６０１）ごとに、ステップＳ６０２でＡ／Ｄ変換処理を実行し、通信ライン３００の電圧レベルを確認する。
【０１２０】
ステップＳ６０３において、通信ライン３００が単位データ識別レベルＶｕｄになったことを検出した場合、受信側は通信が開始すること認識し、ステップＳ６０４に進む。
【０１２１】
ΔＴｉｎｔが経過するごとにＡ／Ｄ変換処理を実行して、通信ライン３００の電圧レベルを確認し（ステップＳ６０４、ステップＳ６０５）、ステップＳ６０６において、電圧レベルがデータ表現レベルを検出した場合は、ステップＳ６０７に進み、受信側は検出した電圧レベルに対応するデータを受信データとして格納する。
【０１２２】
その後、ΔＴｉｎｔが経過するごとにＡ／Ｄ変換処理を実行して、通信ライン３００の電圧レベルを確認し（ステップＳ６０１、ステップＳ６０２）、ステップＳ６０３において、電圧レベルが単位データ識別レベルＶｕｄになったことを検出して、受信側は１つのデータの区切りを認識する。
【０１２３】
ステップＳ６０６において、電圧レベルを再度、データ表現レベルで検出した場合は、上記のステップを繰り返す。
【０１２４】
ステップＳ６０６において、電圧レベルがデータ表現レベルでなかった場合は、ステップＳ６０８に進み、それがデータブロック識別レベルＶｄｂであった場合、受信側は通信が終了することを認識する。ここまででこの処理を終了しても良いし、図１４のように次の通信の待機に移っても良い。
【０１２５】
上記の一連の通信動作において、受信側から送信側に対して、データを正しく受信したことを伝達する信号（以下、アクノリッジ）を返すタイミングを設けても良い。たとえば、受信側が単位データ識別レベルＶｕｄを検出するごとに、送信側に対してアクノリッジを返すようにすることで、個々の通信データの信頼性をより向上させることが可能である。
【０１２６】
前記のアクノリッジにおいて、アクノリッジ専用の識別レベルを新たに導入しても良い。たとえば、データ表現レベル領域ΔＶｄａｔａと単位データ識別レベルＶｕｄの間に、新たにアクノリッジ識別レベルを配置し、受信側から送信側に対してアクノリッジを返す場合にこの電圧レベルを使用することで、アクノリッジ伝達の正確性を向上させることが可能である。
【０１２７】
上記の一連の通信動作において、通信データブロックの末尾に誤り確認用のデータを付加しても良い。たとえば送信側で、通信データブロック内の個々の単位データの総和（チェックサム）を計算して、通信データブロックの末尾に付加して送信することで、受信側では通信データブロック内の個々のデータの妥当性を確認することが可能である。なお、上記のチェックサムは一例であり、この限りではない。
【０１２８】
（付記１）
データの表現に使用する電圧レベルの領域とは別に、異なるデータ表現ごとの差に対応する電圧レベルに対し、前記領域における電圧レベルの上限および下限から、前記異なるデータ表現ごとの差に対応する電圧レベル以上離れた電圧レベルに対応する複数の識別レベルを持ち、単位データもしくはデータブロックの送信ごとに、前記識別レベルのデータを出力することを特徴とする、多値レベル一線式データ通信。
【０１２９】
（付記２）
前記識別レベルとして、通信データブロックの開始位置と終了位置を表す、『データブロック識別レベル』をもつことを特徴とする、付記１に記載の多値レベル一線式データ通信。
【０１３０】
（付記３）
前記識別レベルとして、通信データブロック内に含まれる個々のデータの区切りを表す、『単位データ識別レベル』をもつことを特徴とする、付記１に記載の多値レベル一線式データ通信。
【０１３１】
（付記４）
受信側が通信ラインを単位データ幅より短い時間間隔で確認することを特徴とする、付記１から３のいずれかに記載の多値レベル一線式データ通信。
【０１３２】
本発明は、以上説明した各実施形態に限定されるものではなく、本発明の技術範囲を逸脱しない範囲において、種々の変更が可能である。
【符号の説明】
【０１３３】
１  アロマディフューザー
１０  筐体
１１  吹出口
１１ａ  第１吹出口
１１ｂ  第２吹出口
２０ａ  第１ボトル
２０ｂ  第２ボトル
３０  揮散機構
３１  コンプレッサ
３２  接続管
４０ａ  第１ボトルキャップ
４０ｂ  第２ボトルキャップ
４１ａ  第１吹出経路
４１ｂ  第２吹出経路
４２ａ  第１ボトルキャップ入口
４２ｂ  第２ボトルキャップ入口
４３ａ  第１ボトルキャップ出口
４３ｂ  第２ボトルキャップ出口
４４  逆流経路
５０  ＣＰＵ
５１  記憶部
５２  通信ＩＦ
５３  操作部
５４  表示部
５５  電源部
５６  環境認識部
５６ａ  空間計測部
５６ａ１  距離センサ
５６ａ２  回転駆動部
５６ｂ  温湿度計測部
５６ｂ１  温度センサ
５６ｂ２  湿度センサ
【図１】
2020062300.tif 000013
【図２】
2020062300.tif 000014
【図３】
2020062300.tif 000015
【図４】
2020062300.tif 000016
【図５】
2020062300.tif 000017
【図６】
2020062300.tif 000018
【図７】
2020062300.tif 000019
【図８】
2020062300.tif 000020
【図９】
2020062300.tif 000021
【図１０】
2020062300.tif 000022
【図１１】
2020062300.tif 000023
【図１２】
2020062300.tif 000024
【図１３】
2020062300.tif 000025
【図１４】
2020062300.tif 000026